(57)【要約】  【課題】１個の出力トランスで複数本の放電型ランプを明るさにムラが生じないように駆動できるようにする。  【解決手段】１入力複数出力の出力トランス４４の二次側に第１と第２の少なくとも２本の放電型ランプ４６を接続して該ランプを駆動する。出力トランス４４の一次巻線には共振コンデンサＣ１が接続され一次側共振回路を構成している。出力トランス４４の一次巻線に、共振電圧のフィードバック信号に基づいて共振周波数で自励発振する自励発振回路が接続される。第１と第２の２本の蛍光ランプ４６の中、第１の蛍光ランプ４６の一方の電極を出力トランス４４の第１の二次巻線の二次高圧端子に接続し、第１の放電型ランプ４６に直列に第２の放電型ランプ４６を接続し、この第２の放電型ランプ４６を出力トランス４４の第２の二次巻線の二次高圧端子に接続する。【選択図】図１
2004247280.tif 000002
【特許請求の範囲】
【請求項１】
１入力複数出力の出力トランスの二次側に第１と第２の少なくとも２本の放電型ランプを接続して該ランプを駆動するランプ駆動用電源装置において、第１と第２の２本の蛍光ランプの中、第１の蛍光ランプの一方の電極を前記出力トランスの第１の二次巻線の二次高圧端子に接続し、第１の放電型ランプに直列に第２の放電型ランプを接続し、該第２の放電型ランプを前記出力トランスの第２の二次巻線の二次高圧端子に接続したことを特徴とするランプ駆動用電源装置。
【請求項２】
１入力複数出力の出力トランスの二次側に第１と第２の少なくとも２本の放電型ランプを接続して該ランプを駆動するランプ駆動用電源装置において、前記出力トランスの一次巻線に共振コンデンサを接続して一次側共振回路を設け、前記一次巻線に、共振電圧のフィードバック信号に基づいて共振周波数で自励発振する自励発振回路を接続し、第１と第２の２本の蛍光ランプの中、第１の蛍光ランプの一方の電極を前記出力トランスの第１の二次巻線の二次高圧端子に接続し、第１の放電型ランプに直列に第２の放電型ランプを接続し、該第２の放電型ランプを前記出力トランスの第２の二次巻線の二次高圧端子に接続したことを特徴とするランプ駆動用電源装置。
【請求項３】
前記共振回路が前記出力トランスの一次側に設けられた直列共振回路であり、該直列共振回路の中点から前記フィードバック信号を生成するようにしたことを特徴とする請求項２に記載のランプ駆動用電源装置。
【請求項４】
ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に該ボビンの軸方向に対して直角方向に延びる第１の端子台を設け、前記ボビンの他端にボビンの軸方向に対して直角方向に延びる第２の端子台を設け、それぞれの端子台の一方側に二次高圧端子を設け、それぞれの端子台の他方側に前記二次高圧端子に対して距離を存した位置に一次入力端子とグランド端子を設け、前記第１の二次巻線の前記第１の端子台側の一端のリード線を前記第１の端子台の二次高圧端子に接続し、前記一次巻線の一端のリード線と前記第１の二次巻線の前記一次巻線と接する側の巻線の端部のリード線とを前記ボビンの一端に導き、該リード線をそれぞれ前記第１の端子台の対応する一次入力端子とグランド端子に接続し、前記第２の二次巻線の前記第２の端子台側の一端のリード線を前記第２の端子台の二次高圧端子に接続し、前記一次巻線の他端のリード線と前記第２の二次巻線の前記一次巻線と接する側の巻線の端部のリード線とを前記ボビンの他端に導き、該リード線をそれぞれ前記第２の端子台の対応する一次入力端子とグランド端子に接続し、前記ボビンにコアを装備し、一次側巻線とその両側の二次巻線とで１入力複数出力を構成し、１入力複数出力の出力トランスの二次側に第１と第２の少なくとも２本の放電型ランプを接続して該ランプを駆動するランプ駆動用電源装置において、前記出力トランスの一次巻線に共振コンデンサを接続して一次側共振回路を設け、前記一次巻線に、共振電圧のフィードバック信号に基づいて共振周波数で自励発振する自励発振回路を接続し、第１と第２の２本の蛍光ランプの中、第１の蛍光ランプの一方の電極を前記出力トランスの第１の二次巻線二次高圧端子に接続し、第１の放電型ランプに直列に第２の放電型ランプを接続し、該第２の放電型ランプを前記出力トランスの第２の二次巻線の二次高圧端子に接続したことを特徴とするランプ駆動用電源装置。
【発明の詳細な説明】
【技術分野】
【０００１】
本発明は、複数本の冷陰極型蛍光ランプなどを駆動する出力トランスを用いたランプ駆動用電源装置に関する。
【背景技術】
【０００２】
従来、図８に示すように、冷陰極型蛍光ランプ４６を巻線型トランスの出力で駆動する場合には、巻線型トランスＴの二次側の巻線の高圧端子にコンデンサを介して蛍光ランプ４６の一方の電極を接続し、蛍光ランプ４６の他方の電極を抵抗を介してアースに接続している。また、４本の蛍光ランプを駆動する場合には、図９に示すように、蛍光ランプ４４，４６，４６，４６ごとに巻線型トランスＴ１，Ｔ２，Ｔ３，Ｔ４を用意し、２本の蛍光ランプ４６，４６を直列に接続し、この各一対の蛍光ランプの中、一方の蛍光ランプ４６，４６を対応する巻線トランスＴ１，Ｔ３の二次側高圧端子にバラストコンデンサを介して接続し、他方の蛍光ランプ４４，４４を対応する巻線トランスＴ２，Ｔ４の二次側高圧端子にバラストコンデンサを介して接続し、各巻線トランスＴ１，Ｔ２，Ｔ３，Ｔ４の二次側の他方の端子をアースに接続している。
【０００３】
また、多灯式リーケージトランスを用いたバラストレス型放電灯点灯回路において、一方の二次巻線の両端が接地線を介して放電灯の両端に接続され、また、他方の二次巻線も同様に接地線を介してもう一つの放電灯の両端に接続され、１つの入力に対して２つの放電灯を同時に駆動することができるようにしたＤＣ／ＡＣインバータ回路が知られている（例えば特許文献１参照）。
【特許文献１】特開２００２−０７５７５６号公報（段落００１２，第１１図）
【発明の開示】
【発明が解決しようとする課題】
【０００４】
蛍光ランプ（放電型ランプ）の一方の電極を巻線型トランスの二次側高圧端子に接続し、他方の電極をアースに落として蛍光ランプを駆動する方式は、蛍光ランプの一端側が高圧で他端側が低圧となり、トランス接続側が明るく、アース側が暗くなり、輝度にムラが生じてしまうという問題点がある。２本の蛍光ランプを直列に接続し、２個の巻線型トランスで２本の蛍光ランプを駆動する方式は、２本の蛍光ランプの両端に高圧がかかり、明るさのムラの発生を解消することができるが蛍光ランプごとに巻線トランスが必要となってしまい、巻線トランスの小型化に適しないという問題点がある。
本発明は上記問題点を解決することを目的とするものである。
【課題を解決するための手段】
【０００５】
上記目的を達成するため本発明は、１入力複数出力の出力トランスの二次側に第１と第２の少なくとも２本の放電型ランプを接続して該ランプを駆動するランプ駆動用電源装置において、第１と第２の２本の蛍光ランプの中、第１の蛍光ランプの一方の電極を前記出力トランスの第１の二次巻線の二次高圧端子に接続し、第１の放電型ランプに直列に第２の放電型ランプを接続し、該第２の放電型ランプを前記出力トランスの第２の二次巻線の二次高圧端子に接続したものである。
【０００６】
また本発明は、１入力複数出力の出力トランスの二次側に第１と第２の少なくとも２本の放電型ランプを接続して該ランプを駆動するランプ駆動用電源装置において、前記出力トランスの一次巻線に共振コンデンサを接続して一次側共振回路を設け、前記一次巻線に、共振電圧のフィードバック信号に基づいて共振周波数で自励発振する自励発振回路を接続し、第１と第２の２本の蛍光ランプの中、第１の蛍光ランプの一方の電極を前記出力トランスの第１の二次巻線の二次高圧端子に接続し、第１の放電型ランプに直列に第２の放電型ランプを接続し、該第２の放電型ランプを前記出力トランスの第２の二次巻線の二次高圧端子に接続したものである。
【０００７】
また本発明は、前記共振回路が前記出力トランスの一次側に設けられた直列共振回路であり、該直列共振回路の中点から前記フィードバック信号を生成するようにしたものである。
【０００８】
また本発明は、ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に該ボビンの軸方向に対して直角方向に延びる第１の端子台を設け、前記ボビンの他端にボビンの軸方向に対して直角方向に延びる第２の端子台を設け、それぞれの端子台の一方側に二次高圧端子を設け、それぞれの端子台の他方側に前記二次高圧端子に対して距離を存した位置に一次入力端子とグランド端子を設け、前記第１の二次巻線の前記第１の端子台側の一端のリード線を前記第１の端子台の二次高圧端子に接続し、前記一次巻線の一端のリード線と前記第１の二次巻線の前記一次巻線と接する側の巻線の端部のリード線とを前記ボビンの一端に導き、該リード線をそれぞれ前記第１の端子台の対応する一次入力端子とグランド端子に接続し、前記第２の二次巻線の前記第２の端子台側の一端のリード線を前記第２の端子台の二次高圧端子に接続し、前記一次巻線の他端のリード線と前記第２の二次巻線の前記一次巻線と接する側の巻線の端部のリード線とを前記ボビンの他端に導き、該リード線をそれぞれ前記第２の端子台の対応する一次入力端子とグランド端子に接続し、前記ボビンにコアを装備し、一次側巻線とその両側の二次巻線とで１入力複数出力を構成し、１入力複数出力の出力トランスの二次側に第１と第２の少なくとも２本の放電型ランプを接続して該ランプを駆動するランプ駆動用電源装置において、前記出力トランスの一次巻線に共振コンデンサを接続して一次側共振回路を設け、前記一次巻線に、共振電圧のフィードバック信号に基づいて共振周波数で自励発振する自励発振回路を接続し、第１と第２の２本の蛍光ランプの中、第１の蛍光ランプの一方の電極を前記出力トランスの第１の二次巻線二次高圧端子に接続し、第１の放電型ランプに直列に第２の放電型ランプを接続し、該第２の放電型ランプを前記出力トランスの第２の二次巻線の二次高圧端子に接続したものである。
【発明の効果】
【０００９】
本発明は高圧出力用のトランスの複数出力を用いて複数の放電型ランプを明るさにムラが生じないように効率的に駆動することができる。
【発明を実施するための最良の形態】
【００１０】
以下に本発明の実施の形態を添付した図面を参照して詳細に説明する。
図２において、２は巻線型トランス４４のボビンであり、その角筒部には所定の間隔を存して四角形の絶縁耐圧用の板状のパーティション４，６，８，１０，１２，１４が複数固設され、ボビン２上に、巻線用の凹入部を形成している。前記ボビン２の軸方向の両端には該ボビン２の軸方向に対して直角方向に延びる端子台１６，１８が固設され、これに端子２０，２２，２４，２６，２８，３０が固着されている。
【００１１】
ボビン２の一端側の端子台１６には、その一方側に二次高圧端子２４が配置され、その他方側に、一次入力端子２２と二次グランド端子２０が配置されている。一次入力端子２２とグランド端子２０は、二次高圧端子２４の高電圧の影響を受けないように、できるだけ離して、端子台１６の他方側に配置されている。ボビン２の他端側の端子台１８には、その一方側に二次高圧端子３０が配置され、これからできるだけ離れた他方側に一次入力端子２８と二次グランド端子２６が配置されている。前記端子台１６，１８の前記端子２０，２２と２６，２８取付側に形成されたガイド取付溝１６ａ，１８ａ間には細長状の絶縁体から成る遮蔽体３４が架設され、該遮蔽体３４の凹部３４ｂが対応するパーティション４，６，８，１０，１２，１４の外縁に嵌合している。前記遮蔽体３４には、その長手方向に沿って、前記ボビン２と対面する側とは反対側に開放された溝から成るリード線ガイド部３４ａが設けられている。
【００１２】
ボビン２の中央のパーティション８，１０で囲まれた凹入部には、一端側Ａを巻始めとして、一次巻線３２が例えば右巻きで巻回されている。一次巻線３２の巻始め端側Ａのリード線３２ａは、遮蔽体３４に形成された、穴３６を通じて、遮蔽体３４のリード線ガイド部３４ａ内に配置され、該リード線ガイド部３４ａを通って、ボビン２の一端側に導かれ、端子台１６に形成された案内溝を介して一次側入力端子２２に接続している。一次巻線３２の終端側Ｄのリード線３２ａは、遮蔽体３４に形成された、穴３８を通じて、遮蔽体３４のリード線ガイド部３４ａ内に配置され、該リード線ガイド部３４ａを通って、ボビン２の他端側に導かれ、端子台１８に形成された案内溝を介して一次側入力端子２８に接続している。ボビン２上の一次巻線３２の一方側には、ボビン２の一端側Ｂを巻始めとして、第１の二次巻線３９が右巻きで、端子台１６、パーティション４間、パーティション４，６間、パーティション６，８間の各凹入部に順次巻回されている。
【００１３】
二次巻線３９の中間を複数のパーティション４，６，８によって区画したのは、二次巻線３９の絶縁耐圧を考慮したものである。第１の二次巻線３９の巻始め端側Ｂのリード線３９ａは、端子台１６に形成された溝を通って、二次高圧端子２４に導かれ、これに接続している。第１の二次巻線３９の終端側Ｃのリード線３９ｂは、穴３６を介して遮蔽体３４のリード線ガイド部３４ａ内に配置され、リード線３２ａとともに該リード線ガイド部３４ａを通って、ボビン２の一端側に導かれ、端子台１６に形成された案内溝を介して二次側グランド端子２０に接続している。ボビン２の中央の一次巻線３２の他方側には、パーティション１０と接する側Ｄを巻始めとして、第２の二次巻線４１が右巻きで、パーティション１０，１２間、パーティション１２，１４間、パーティション１４、端子台１８間の各凹入部に順次巻回されている。
【００１４】
一次巻線３２の左右に対称に配置された第１と第２の二次巻線３９，４１は同一の構造である。第２の二次巻線４１の終端側Ｅのリード線４１ｂは、端子台１８に形成された溝を通って、二次高圧端子３０に導かれ、これに接続している。第２の二次巻線４１の巻き始め端側Ｄのリード線４１ａは、穴３８を介して遮蔽体３４のリード線ガイド部３４ａ内に配置され、一次巻線３２のリード線３２ａとともに該リード線ガイド部３４ａを通って、ボビン２の他端側に導かれ、端子台１８に形成された案内溝を介して二次側グランド端子２６に接続している。以上の巻線構造から明らかなように、パーティション８，１０間の一次側巻線３２の両端は二次巻線３９，４１の電圧の低いグランド側と接することになり、隣接する、一次巻線３５の電圧と二次巻線３９，４１の電圧との差が小さくなる。
【００１５】
そのため、一次巻線３２と二次巻線３９，４１との間の絶縁耐圧構造を簡単な構造とすることができる。一次巻線３２と、二次巻線３９，４１のグランド側は、電位差が小さいので、共通のリード線ガイド部３４ａを通して、両者を平行に配置しても絶縁耐圧に問題はない。なお、遮蔽体３４に複数のリード線ガイド部を設け、リード線を一本ずつリード線ガイド部に配置するようにしても良い。４２はコアであり、２個のＥ型コアが接合されて構成され、外縁部分がボビン２の外側に配置されるとともに、該コア４２の内側部分４２ａがボビン２の筒部内に配置されている。上記した巻線型トランス４４は、１入力２出力を構成し、このトランスを用いて２本の冷陰極蛍光ランプを明るさに明暗のムラのない状態で駆動することができる。この場合、２本のランプは、両端が二次巻線３９，４１の高圧側に接続されるので、ランプの両端に明るさの差が生じることがない。
【００１６】
上記した１入力２出力巻線型出力トランス４４は、このトランスの一次側で直列あるいは並列共振回路を構成し、トランスの一次側に共振電圧を発生させる自励発振回路により駆動されることが望ましい。この場合、トランスの一次側に電源電圧より高い高電圧が発生することにより、二次側の巻線の量を少なくでき、結果として、従来の１入力１出力の巻線型トランスと同じ大きさで２出力を実現することができる。また、１入力２出力巻線型トランスは、トランスの中央部に一次コイルとコアによる発熱が集中するが、この発熱はトランスの中央部に発生するので、二次巻線との結合のバランスが良好な状態に保持され、トランスが効率的に動作する。従来の１入力１出力の巻線型トランスのように、発熱がトランスの片側に集中すると、一次巻線と二次巻線との結合にアンバランスが生じ効率化の妨げとなる。図６において、１２０は、遮蔽体の他の実施形態を示し、断面形状を三角形としている。
【００１７】
次に巻線型トランスの一次側に共振電圧を発生させる自励発振回路により巻線型トランス４４を駆動する実施形態を図１を参照して説明する。
図１中、５２，５４，５６，５８はＦＥＴから成るスイッチング素子であり、各々のスイッチング素子のソース、ドレイン間には転流ダイオード６０，６２，６４，６６が接続されている。スイッチング素子５２，５４，５６，５８の各々のゲートにはゲート制御回路６８，７０，７２，７４が接続され、これらのうち、ゲート制御回路６８，７２はＰＷＭ制御回路７６に接続し、ゲート制御回路７０，７４はロジック回路７８に接続している。ＰＷＭ制御回路７６は、ランプ２０に流れる電流を検出する整流平滑回路８０から信号を受け取り、この信号のレベルがライン８２から与えられる設定値になるように、スイッチング素子５２，５６の導通角を制御する。４４は基板（図示省略）に固設された１入力２出力型の巻線型トランスであり、２本の冷陰極型蛍光ランプ４６，４６が直列に接続し、蛍光ランプ４６，４６の各一端は、巻線型トランス４４の二次側コイル３９，４１の高圧端子側にそれぞれ接続している。二次側巻線３９，４１の各一端は、それぞれ抵抗を介して接地されている。
【００１８】
一方の抵抗４８は、電流検出回路を構成し、リード線を介して、ランプオープン・ランプショート検出回路９０と起動補償回路８８に接続している。位相検出回路５１は、リード線２７を介して、ＬＣ直列共振回路の中点Ｐに接続している。ロジック回路７８は、リード線２７に接続する位相検出回路５１からの一次側共振位相信号に基づいて、スイッチング素子をオンオフさせるための信号を造出し、ＰＷＭ制御回路７６を介してゲート制御回路６８，７２にオンオフ制御信号を送るとともに、ゲート制御回路７０，７４にオンオフ制御信号を送るように構成されている。位相検出回路５１は、ＬＣ直列共振回路の中点Ｐの位相電圧信号から９０度遅れた補正位相信号をロジック回路７８に供給する。この信号は、一次側ＬＣ直列共振回路に流れる電流と同位相となる。一次側直列共振回路に流れる電流は、キャパシタＣ１の充電電圧が直流電源電圧に到達しても、トランス４４の一次側端子の電圧は電気的に９０度の位相時間が経過した後に０Ｖを越えて更に低下し、更に９０度の位相時間が経過してマイナスの最大値になる。
【００１９】
この時、この電圧から９０度遅れた信号は０Ｖとなるので、このタイミングでスイッチング制御信号をオンオフする。ロジック回路７８はこのようにして交互にスイッチング制御信号を出力する。ロジック回路７８は、調光信号が入力される調光制御回路８４の出力信号に基づいて、調光制御信号を造出し、この調光制御信号によってスイッチング素子オンオフのバースト制御とＰＷＭ制御回路７６のスイッチオンパルス幅を制御し、ランプ４６，４６の明るさを一定に保つことと、調光信号に基づいて、輝度ゼロから１００％まで任意の値に設定し得るように構成されている。また、ロジック回路７８には過電流検出回路８６が接続し、ランプ２０に過電流が流れたとき、ロジック回路７８は、これを検出し、過電流を阻止する信号をＰＷＭ制御回路７６に送り過電流を防止するように構成されている。
【００２０】
起動補償回路８８は、ランプ４６の通電回路に接続し、ランプ４６の電流信号が入力されるように構成されている。起動補償回路８８は、電源オンオフ時、自励発振回路が確実に起動するように、起動補償信号を位相検出回路５１に入力する。位相検出回路５１は、この起動補償信号を受けて、ロジック回路７８に自励発振のための起動信号を出力する。起動補償回路８８は、位相検出回路５１から位相補正された信号がロジック回路７８に入ってトランス一次側に電流がロジックで決められた方向に流れても、ランプ４６が放電を開始しない事がある。起動補償回路８８は、このような場合の起動補償のために設けられている。この場合、確実にランプ４６を点灯させるために、起動補償回路８８は、ランプ４６を流れる電流を検出してランプ４６が点灯したか否か判断し、点灯していない時は、点灯するまで起動補償信号を位相検出回路５１に送り出す。
【００２１】
位相検出回路５１はこの起動補償信号を受けてランプ４６が点灯するまで起動信号をロジック回路７８に出力する。調光制御回路８４では、調光信号入力の電圧が、内蔵の三角波発振回路の出力電圧と比較されて、所定の周期のバースト調光信号を生成する。この信号のデューティサイクルに従って、全体のロジック信号をＯＮ−ＯＦＦさせ結果的に明るさを制御している。この方法は、消灯から全点灯まで自由に調整が可能であるが、ランプ４６はこの調光信号の周期でＯＮ−ＯＦＦされているため、その周期ごとに起動確認と確実な起動が必要となる。そのため、起動補償回路８８は、上記のごとく、確実な点灯を実現するために、はじめに起動補償信号を位相検出回路５１に送り出している。起動補償の動作を図９を参照して説明すると、始めて電源を入れる時や、ランプが点灯していない時、例えば、電流がＩ１の方向に流れる様にスイッチング素子５２と５８とを決められたパルス幅でＯＮにする。
【００２２】
これによりコンデンサ（Ｃ１）とトランス４４の一次巻線に電流が流れ、位相検出回路５１にリード線２７を通じて信号が入り、Ｉ２，Ｉ１，Ｉ２，Ｉ１と交互に電流が流れ、自励発振回路は、検出した共振周波数で発振を開始する。起動補償回路８８は、ロジック回路７８の初期リセット（起動時）も作っている。もしランプ４６が点灯しなかった場合は、再度リセットし、始めの起動信号を位相検出回路５１を通じてロジック回路７８に対し送出する。ランプオープン・ショート検出回路９０は、巻線型トランス１０の二次側に接続し、二次側の電圧及び電流を検出する。ランプ４６が点灯していないか又はランプ４６が取り付けられていない状態即ちランプオープンやランプの配線等がショートした状態即ちランプショートのとき、位相検出回路５１を通じてロジック回路７８に信号を送り、ロジック回路７８、ＰＷＭ制御回路７６及びゲート制御回路６８，７０，７２，７４から成る制御回路を遮断するように構成されている。過電流検出回路８６は、ＰＷＭ制御回路７６が不良であったり、又は、ランプ２０の配線がショートした時等において、ロジック回路７８に信号を送り、制御回路を遮断する。
【００２３】
上記した構成において、電源スイッチがオンとなり、ゲート制御回路６８，７４又は７２，７０のいずれかにＰＷＭ制御回路７６及びロジック回路７８からオン信号が瞬間的に供給されると、直流電源がスイッチング素子５２，５８を通じて、Ｉ１の方向に、あるいは、スイッチング素子５６，５４を通じて、Ｉ２の方向に、巻線型トランス１０の一次側巻線に電流が流れる。これにより、自励発振回路が起動し、巻線型トランス４４が共振電圧を発生する。巻線型トランス４４の一次側の共振電圧の周波数は、リード線２７により、位相検出回路５１に供給される。ロジック回路７８とＰＷＭ制御回路７６は、位相検出回路５１からの位相信号に基づいて、ゲート制御回路６８，７０，７２，７４を駆動し、スイッチング素子５２，５４，５６，５８をオンオフ制御する。
【００２４】
スイッチング素子５２，５４，５６，５８のオンオフによって電流は、Ｉ１とＩ２の方向に交互に流れ、自励発振回路は、巻線型トランス１０の一次側共振周波数で自励発振する。２本の蛍光ランプ４６，４６の各両端電極には、トランスの二次側巻線の高電圧が印加されるため、明るさにムラが生じない。前記巻線型トランス４４は、図７に示すように、基板に正しい向きで固定されると、ボビン２の軸方向に対して直角方向に延びる端子台１６，１８の右側に、ボビン２を挟んで、二次高圧端子２４，３０が並び、左側に、グランド端子２０，２６と、一次入力端子２２，２８とがボビン２を挟んで並ぶ。そのため、巻線型トランス４４に、コネクタ１２８を介してランプ４６，４６を最短距離でシンプルに接続でき、トランス４４とランプ４６，４６間の接続配線及び自励発振回路との接続配線をきわめてシンプルな構成とすることができる。
【００２５】
しかも、図７から明らかなように、巻線型トランスの右側に高圧端子、左側に低圧端子が配置されるので、トランスの高圧側と低圧側との縁面距離を広くとることができ、トランスの安定的動作と小型化を図ることができる。
尚、上記実施形態はいずれも、巻線型トランスの一次側共振周波数を、巻線型トランスの一次側からリード線を通じて取り出しているが、この構成に特に限定されるものではなく、巻線型トランスの二次側の共振周波数から、周波数解析回路により一次側共振周波数を検出し、この検出信号によってロジック回路７８やＰＷＭ制御回路７６等を動作させるようにしても良い。
本実施形態は上述の如く、巻線型トランスの一次側に入力電源電圧より高い共振電圧が得られるので、巻線型トランスの二次側の巻線数を少なくでき、小型化が可能である。そのため、本発明に使用される巻線型トランスは、普通の１入力１出力型の巻線型トランスとほぼ同じ大きさで、１入力２出力型の巻線型トランスとすることが可能となる。
【図面の簡単な説明】
【００２６】
【図１】本発明の電源装置のブロック回路図である。
【図２】出力トランスの説明的裏面図である。
【図３】遮蔽体の平面図である。
【図４】Ａ−Ａ線断面図である。
【図５】出力トランスの側面図である。
【図６】出力トランスの要部の断面図である。
【図７】本発明の説明図である。
【図８】従来技術の回路図である。
【図９】従来技術の回路図である。
【符号の説明】
【００２７】
２      ボビン  
４      パーティション        
６      パーティション
８      パーティション
１０    パーティション
１２    パーティション
１４    パーティション
１６    端子台
１８    端子台
２０    端子
２２    端子
２４    端子
２６    端子
２８    端子
３０    端子
３２    一次巻線
３４    遮蔽体
３９    二次巻線
４１    二次巻線
４２    コア
４４    巻線型トランス
４６    冷陰極型蛍光ランプ
４８    抵抗
５０    誤動作防止回路
５１    位相差造出回路
５２〜５８  スイッチング素子
６２〜６６  転流ダイオード
６８    ゲート制御回路
７０    ゲート制御回路
７２    ゲート制御回路
７４    ゲート制御回路
７６    ＰＷＭ制御回路
７８    ロジック回路
８０    整流制御回路
８２    ライン
８４    調光制御回路
８６    過電流検出回路
８８    起動補償回路
９０    ランプオープン・ショート検出回路
９２    ボビン
９４    二次巻線
９６    端子台
９８    リードピン
１００  パーティション
１０２  端子台
１０４  リードピン
１０６  Ｆ巻線
１０８  一次巻線
１１０  リードピン
１１２  リードピン
１１４  リードピン
１１６  リードピン
１１８  リードピン
１２０  ガイド
１２２  切欠部
１２４  ガイド
１２６  穴
１２８  コネクター
【図１】
2004247280.tif 000003
【図２】
2004247280.tif 000004
【図３】
2004247280.tif 000005
【図４】
2004247280.tif 000006
【図５】
2004247280.tif 000007
【図６】
2004247280.tif 000008
【図７】
2004247280.tif 000009
【図８】
2004247280.tif 000010
【図９】
2004247280.tif 000011